(57)【要約】【課題】あらかじめ外装材を設けている壁パネルとの接合部においても適切かつ十分に対応できる壁パネルの接合部における防水構造を提供する。【解決手段】矩形形状の壁パネル１１の表面に、あらかじめ防水シート１２と防水シート１２の上から外装材１４とが取り付けられた外装材付き壁パネル１どうしの接合部における防水構造であって、防水シート１２は、その側端部が壁パネル１１の側端部から延出するように壁パネル１１に取り付けられており、外装材１４は、その側端部が壁パネル１１の側端部に位置するように壁パネル１１に取り付けられており、両防水シート１２の裏面どうしが両面防水テープにより互いに接着され折り返されて折り返し部とされ、この折り返し部が両外装材１４の間に形成される目地に装着された目地材と壁パネル１１との間に挟み付けられている。【選択図】  図１
2004162298.tif 000002
【特許請求の範囲】
【請求項１】
矩形形状の壁パネルの表面に、あらかじめ防水シートと防水シートの上から外装材とが取り付けられた外装材付き壁パネルどうしの接合部における防水構造であって、
前記防水シートは、その側端部が前記壁パネルの側端部から延出するように該壁パネルに取り付けられており、
前記外装材は、その側端部が前記壁パネルの側端部に位置するように該壁パネルに取り付けられており、
前記両防水シートの裏面どうしが両面防水テープにより互いに接着され折り返されて折り返し部とされ、この折り返し部が前記両外装材の間に形成される目地に装着された目地材と壁パネルとの間に挟み付けられていることを特徴とする壁パネルの接合部における防水構造。
【請求項２】
矩形形状の壁パネルの表面に、あらかじめ防水シートと防水シートの上から胴縁と胴縁の上から外装材とが取り付けられた外装材付き壁パネルと、矩形形状の壁パネルの表面に、あらかじめ防水シートと防水シートの上から胴縁とが取り付けられた胴縁付き壁パネルとの接合部における防水構造であって、
前記防水シートは、その側端部が前記壁パネルの側端部から延出するように該壁パネルに取り付けられており、
前記外装材付き壁パネルの外装材は、その側端部が前記胴縁の端部から延出するように前記壁パネルに取り付けられており、
前記両防水シートの裏面どうしが両面防水テープにより互いに接着され折り返されて折り返し部とされ、この折り返し部が前記外装材の側端部と壁パネルとの間に挟み付けられていることを特徴とする壁パネルの接合部における防水構造。
【請求項３】
前記外装材の側端部には、さねが設けられていることを特徴とする請求項２に記載の壁パネルの接合部における防水構造。
【請求項４】
前記外装材付き壁パネルの防水シートが外装材の側端部から延出する長さ寸法と前記胴縁付き壁パネルの防水シートが胴縁の端部から延出する長さ寸法とがほほ等しくなっていることを特徴とする請求項２又は請求項３に記載の壁パネルの接合部における防水構造。
【請求項５】
前記防水シートが、防水透湿シートであることを特徴とする壁パネルの接合部における請求項１から請求項４のいずれか一項に記載の壁パネルの接合部における防水構造。
【発明の詳細な説明】
【０００１】
【発明の属する技術分野】
本発明は、主としてあらかじめ外装材が取り付けられた外装材付き壁パネルどうしの接合部に対してや、あらかじめ外装材が取り付けられた外装材付き壁パネルとあらかじめ外装材が取り付けられない壁パネルとの接合部に対して用いられる防水構造に関する。
【０００２】
【背景の技術】
従来の壁パネルの接合部における防水構造としては、例えば矩形形状の壁パネルの表面に、あらかじめ防水シートと防水シートの上から胴縁と胴縁の上から外装材とが取り付けられた外装材付き壁パネルどうしの接合部に形成される防水シートどうしの取合いに対して十分な幅寸法をもつ防水テープを上側から接着してなるものが開示されている（例えば、特許文献１参照）。
ここで、胴縁の端部は、十分な幅寸法をもつ防水テープの上側からの接着に支障を来さないように壁パネルの側端部から引っ込んだところに位置させている。このような壁パネルの接合部における防水構造によれば、外装材どうしの接合部においてシール材による防水効果が得られるのみならず、防水シートどうしの接合部において防水テープによる防水効果が得られるので、あらかじめ外装材が取り付けられない壁パネルどうしの接合部において防水性能の向上効果が確実かつ十分に得られる。
【０００３】
【特許文献１】
特開平７−１５８１８１号公報
【０００４】
【発明が解決しようとする課題】
しかしながら、このような壁パネルの接合部における防水構造では、十分な幅寸法をもつ防水テープを上側から接着することとしているので、あらかじめ外装材が取り付けられない壁パネルどうしの接合部に対して適用できても、あらかじめ外装材が取り付けられた外装材付き壁パネルどうしの接合部に対してや、あらかじめ外装材が取り付けられた外装材付き壁パネルとあらかじめ外装材が取り付けられない壁パネルとの接合部に対しては、事実上適用できないという問題がある。
【０００５】
すなわち、胴縁であれば、防水テープの接着に支障を来さないよう胴縁の端部を壁パネルの側端部から引っ込んだ位置に取り付けることが可能であるが、外装材は、両外装材により形成される目地に対してシール材による防水が必要となる関係上、壁パネルの側端部から引っ込んだ位置に取り付けることが事実上不可能であり、外装材の側端部がほぼ壁パネルの側端部の位置に取り付けられる場合には、十分な幅寸法をもつ防水テープを上側から接着できないこととなる。
【０００６】
そこで、本発明の課題は、あらかじめ外装材が取り付けられた外装材付き壁パネルとの接合部においても適切かつ十分に対応できる壁パネルの接合部における防水構造を提供することにある。
【０００７】
【課題を解決するための手段】
上記課題を解決するため、請求項１に記載の発明は、壁パネルの接合部における防水構造であるが、これは、例えば図１に示すように、矩形形状の壁パネル１１の表面に、あらかじめ防水シート１２と防水シート１２の上から外装材１４とが取り付けられた外装材付き壁パネル１どうしの接合部における防水構造であって、防水シート１２は、その側端部が壁パネル１１の側端部から延出するように壁パネル１１に取り付けられており、外装材１４は、その側端部が壁パネル１１の側端部に位置するように壁パネル１１に取り付けられており、両防水シート１２の裏面どうしが両面防水テープにより互いに接着され折り返されて折り返し部２２とされ、この折り返し部２２が両外装材１４の間に形成される目地に装着された目地材と壁パネル１１との間に挟み付けられていることを特徴としている。
【０００８】
請求項１に記載の発明によれば、防水シート１２の裏面どうしを両面防水テープ１２により互いに接着し折り返して折り返し部として、これを所定の隙間に挟み付けることとしているので、あらかじめ外装材１４が取り付けられた外装材付き壁パネル１との接合部においても、適切かつ十分に対応できる。
【０００９】
したがって、そのような外装材付き壁パネル１との接合部においても、防水性能の向上効果が確実かつ十分に得られることが可能となる。
【００１０】
また、請求項２に記載の発明は、壁パネルの接合部における防水構造であるが、これは、例えば図２に示すように、矩形形状の壁パネル１１の表面に、あらかじめ防水シート１２と防水シート１２の上から胴縁１３と胴縁１３の上から外装材６４とが取り付けられた外装材付き壁パネル５１と、矩形形状の壁パネル１１の表面に、あらかじめ防水シート７２と防水シート７２の上から胴縁７３とが取り付けられた胴縁付き壁パネル５２との接合部における防水構造であって、防水シート１２，７２は、その側端部が壁パネル１１の側端部から延出するように壁パネル１１に取り付けられており、外装材付き壁パネル５１の外装材６４は、その側端部が胴縁１３の端部から延出するように壁パネル１１に取り付けられており、両防水シート１２，７２の裏面どうしが両面防水テープ２１により互いに接着され折り返されて折り返し部とされ、この折り返し部が外装材６４の側端部と壁パネル１１との間に挟み付けられていることを特徴としている。
【００１１】
請求項２に記載の発明によれば、防水シート１２，７２の裏面どうしを両面防水テープ２１により互いに接着し折り返して折り返し部として、これを所定の隙間に挟み付けることとしているので、あらかじめ外装材６４が取り付けられた外装材付き壁パネル５１との接合部においても、適切かつ十分に対応できる。
【００１２】
したがって、そのような外装材付き壁パネル５１との接合部においても、防水性能の向上効果が確実かつ十分に得られることが可能となる。
【００１３】
さらに、請求項３に記載の発明は、例えば図２に示すように、請求項２に記載の壁パネルの接合部における防水構造において、外装材６４の側端部には、さね６４ａが設けられていることを特徴としている。
【００１４】
請求項３に記載の発明によれば、外装材６４，７４どうしの接合部分におけるシール材による防水効果を担保することが可能となり、あらかじめ外装材６４が取り付けられた外装材付き壁パネル５１との接合部において、防水性能の向上効果がより確実かつ十分に得られることが可能となる。
【００１５】
さらにまた、請求項４に記載の発明は、例えば図２に示すように、請求項２又は請求項３に記載の壁パネルの接合部における防水構造において、外装材付き壁パネル５１の防水シート１２が外装材６４の側端部から延出する長さ寸法と胴縁付き壁パネル５２の防水シート７２が胴縁７３の端部から延出する長さ寸法とがほほ等しくなっていることを特徴としている。
【００１６】
請求項４に記載の発明によれば、防水シート１２，７２の側端部の裏面どうしを両面防水テープ２１により接着するに際して外装材６４の側端部が邪魔となる事態を有効に回避することが可能となり、あらかじめ外装材６４が取り付けられた外装材付き壁パネル５１との接合部において、より適切かつ十分に対応することが可能となる。
【００１７】
また、請求項５に記載の発明は、例えば図２に示すように、請求項１から請求項４のいずれか一項に記載の壁パネルの接合部における防水構造において、防水シートが、防水透湿シートであることを特徴としている。
【００１８】
請求項５に記載の発明によれば、外気側において高温側から低温側への透湿性が確保されることにより、内部結露を防止することが可能となる。
【００１９】
【発明の実施の形態】
以下、添付図面に基づいて本発明の実施の形態を詳細に説明する。
【００２０】
◎実施の形態１
［外装材付き壁パネル１の接合部における防水構造］
図１は本発明の実施の形態１に係る壁パネルの接合部における防水構造の全体構成を説明する断面図（図１（ａ）は工場製造段階、図１（ｂ）は現場施工段階、図１（ｃ）は防水完了段階）である。
【００２１】
この実施の形態１において、壁パネルの接合部における防水構造は、同図に示すように、あらかじめ工場製造段階から外装材１４を取り付けている外装材付き壁パネル１どうしの接合部に対して適用されるものとして構成されている。
【００２２】
以下、外装材付き壁パネル１の構造、外装材付き壁パネル１の接合構造、外装材付き壁パネル１の接合部における防水構造の順に詳細に説明する。
【００２３】
（１）外装材付き壁パネル１の構造
外装材付き壁パネル１は、パネル工法により構築される住宅における外周壁を構成する部材として構成されている。
【００２４】
なお、パネル工法は、壁や床、屋根といった建物の構成部材をあらかじめ工場製造段階において基本となる平面寸法を用いてパネル化しておき、現場施工段階においてこれらのパネルを組み立てるという工法である。
この実施の形態１において、外装材付き壁パネル１は、工場製造段階において製造されるものであり、図１（ａ）に示すように、矩形形状の壁パネル１１の表面に、あらかじめ防水シート１２と防水シート１２の上から胴縁１３と胴縁１３の上から外装材１３とが取り付けられているものとして構成されている。
【００２５】
具体的には、壁パネル１１は、図１（ａ）に示すように、縦横の框材１１ａにより矩形の枠状に組み立てられた矩形枠（図示外）の内部に補助桟材（図示外）を縦横に組み付けるとともに、框材１１ａ及び補助桟材の両側に面材１１ｂを接着してなるものとして構成されている。
【００２６】
また、防水シート１２は、壁パネル１１の室外側における面材１１ｂの上においてその側端部が壁パネル１１の側端部から例えば６０ｍｍ延出するようにして、壁パネル１１に取り付けられるものとして構成されている（図１（ａ）参照）。
【００２７】
このような防水シート１２としては、例えば水を透過しないが水蒸気を透過するミクロボアを有するシートであるタイベック（商品名：デュポン社製）等の防水透湿シートが用いられている。
【００２８】
つまり、外気側において高温側から低温側への透湿性が確保されることにより、内部結露が有効に防止されることとなっている。
【００２９】
さらに、胴縁１３は、防水シート１２の上において縦方向に所定間隔で、かつ、その側端部が壁パネル１１の側端部から例えば１０ｍｍ引っ込むようにして、壁パネル１１に取り付けられるものとして構成されている（図１（ａ）参照）。
【００３０】
さらにまた、外装材１４は、板材であり、胴縁１３の上においてその側端部が壁パネル１１の側端部に位置するようにして、壁パネル１１に取り付けられるものとして構成されている（図１（ａ）参照）。
【００３１】
このような外装材１４としては、例えば軽量気泡コンクリート等の無機質系の材料からなり、室外側の表面において化粧目地等（図示外）が施されるものが用いられている。
【００３２】
（２）外装材付き壁パネル１の接合構造
外装材付き壁パネル１どうしの接合構造としては、具体的には、締結ボルトにより両外装材付き壁パネル１の框材１１ａどうしを締結する形式によることとなっている。
【００３３】
もちろん、外装材付き壁パネル１どうしの接合構造としては、これに限られるものではなく、外周壁としての十分な強度を確保し得るものであれば、ボルトを用いるか接着材を用いるかの別や、框材１１ａどうしを接合するか他の部材を接合するかの別などを問わない。
【００３４】
すなわち、この外装材付き壁パネル１どうしの接合構造として、例えば、壁パネル１１の両外装材付き壁パネル１側端面に塗布された接着剤によって接着するとともに、一方の外装材付き壁パネル１の裏側から釘を他方の外装材付き壁パネル１に向けて斜め打ちし、他方の外装材付き壁パネル１の裏側から一方の外装材付き壁パネル１に向けて斜め打ちしてなるものなども用いることができる（図１破線部分参照）。
【００３５】
（３）外装材付き壁パネル１の接合部におけるにおける防水構造
外装材付き壁パネル１の接合部における防水構造としては、図１に示すように、両防水シート１２の裏面どうしが両面防水テープ１２により互いに接着され折り返されて折り返し部２２とされ、この折り返し部２２が両外装材１４の間に形成される目地に装着された目地材としてのガスケット２３と壁パネル１１との間に挟み付けられているものとして構成されている。
【００３６】
具体的には、防水シート１２は、例えばその側端部が外装材付き壁パネル１の側端部から６０ｍｍ延出するようにして、外装材付き壁パネル１に取り付けられている（図１（ａ）参照）。外装材付き壁パネル１の側端部の裏面に対して両面防水テープ２１が接着されることにより帯状の接着部が形成されることとなっている。
【００３７】
また、両面防水テープ２１は、例えば幅寸法が１０ｍｍ〜２０ｍｍであるアクリル製の両側面に粘着部を備える両面粘着テープが用いられている（図１（ａ）参照）。防水テープ２１の側端部に形成された帯状の接着部が両面粘着テープの幅寸法で折り返されることにより帯状の肉厚部である折り返し部２２が形成されることとなっている（図１（ｂ）参照）。
【００３８】
すなわち、折り返し部２２は、両防水シート１２の側端部の裏面どうしを両面防水テープ２１で接着することにより形成される帯状の接着部をさらに折り返すことにより形成される帯状の肉厚部として構成されている（図１（ｂ）参照）。
【００３９】
さらに、ガスケット２３としては、例えば軟質の塩化ビニル等の弾性樹脂からなる弾性を有する乾式目地材が用いられている。
【００４０】
すなわち、このような外装材付き壁パネル１の接合部における防水構造によれば、両防水シート１２の側端部の裏面どうしを両面防水テープ２１にて接着し折り返した折り返し部２２が所定の隙間に挟み付けられることとなり、外装材１４どうしの取合部分においてシール材としてのガスケット２３による防水効果が得られるのみならず、防水シート１２どうしの取合部分においても防水テープによる防水効果が得られることとなっている。
【００４１】
したがって、このような外装材付き壁パネル１の接合部における防水構造によれば、あらかじめ外装材１４を取り付けている外装材付き壁パネル１どうしの接合部においても、適切かつ十分な防水施工ができることとなっている。
【００４２】
次に、図１を用いて、この実施の形態１に係る外装材付き壁パネル１の接合部における防水方法について説明する。
【００４３】
まず、工場において、壁パネル１１の構築、面材１１ｂの上への防水シート１２の貼設、防水シート１２の上への胴縁１３の取り付け、胴縁１３の上への外装材１４の貼設が行われることにより、あらかじめ外装材１４を取り付けている外装材付き壁パネル１が製造される（図１（ａ）参照）。
【００４４】
このとき、両面防水テープ２１の一方の面における粘着部は、両防水シート１２のうち、一方の側端部の裏面に接着しておき、他方の面における粘着部においては、剥離可能である離型紙２１ａを取り付けておく（図１（ａ）参照）。
【００４５】
そして、施工現場において、ボルト及びナット３１を用いて両框材１１ａどうしが締結されることにより、両外装材付き壁パネル１どうしが強固に接合される（図１（ａ）参照）。
【００４６】
このとき、両面防水テープ２１を含む両防水シート１２の側端部は、両外装材１４により形成される目地から外側に引き出しておく（図１（ａ）参照）。
【００４７】
次に、目地から外側に引き出した両防水シート１２の側端部に接着された防水テープの離型紙２１ａを剥がし、剥がした粘着部を他方の側端部の裏面に対して水密に接着する。
【００４８】
すると、両防水シート１２の取合部分において切れ目なく水密性が確保された帯状の接着部が連続的に形成されることとなる。
【００４９】
そして、このような帯状の接着部が折り返されることにより、両防水シート１２の取合部分において帯状の肉厚部としての折り返し部２２が得られる（図１（ｂ）参照）。
【００５０】
続いて、折り返し部２２が両外装材１４により形成される目地から外装材１４及び壁パネル１１の間に押し込まれるとともに、目地に対してガスケット２３が装着される（図１（ｃ）参照）。
【００５１】
すると、折り返し部２２が、ガスケット２３の先端及び壁パネル１１の間に挟み付けられることとなり（図１（ｃ）参照）、これにより、この実施の形態１に係る外装材付き壁パネル１の接合部における防水方法が終了する。
【００５２】
すなわち、このような外装材付き壁パネル１の接合部における防水方法によれば、両防水シート１２の側端部の裏面どうしを両面防水テープ２１にて接着し折り返した折り返し部２２が所定の隙間に挟み付けられることとなり、外装材１４どうしの取合部分においてシール材としてのガスケット２３による防水効果が得られるのみならず、防水シート１２どうしの取合部分においても防水テープによる防水効果が得られることとなっている。
【００５３】
したがって、このような外装材付き壁パネル１の接合部における防水方法によれば、あらかじめ外装材１４を取り付けている外装材付き壁パネル１どうしの接合部においても、適切かつ十分な防水施工ができることとなっている。
【００５４】
◎実施の形態２
［壁パネルの接合部における防水構造］
図２は本発明の実施の形態２に係る壁パネルの接合部における防水構造の全体構成を説明する断面図（図２（ａ）は工場製造段階、図２（ｂ）は現場施工段階、図２（ｃ）は防水完了段階）である。なお、実施の形態１と同様な構成要素については実施の形態１と同様な符号を付してここではその詳細な説明を省略する。
【００５５】
この実施の形態２に係る壁パネルの接合部における防水構造は、同図に示すように、実施の形態１とほぼ同様であるが、実施の形態１と異なり、あらかじめ工場製造段階において外装材６４を取り付けている外装材付き壁パネル５１と、あらかじめ工場製造段階において外装材７４を取り付けていないが胴縁７３を取り付けている胴縁付き壁パネル５２との接合部に対して適用されるものとして構成されている。
【００５６】
したがって、外装材付き壁パネルの構造、壁パネルの接合部における防水構造においても、以下のような差異がみられる。
【００５７】
（１）外装材付き壁パネルの構造
外装材付き壁パネル５１は、図２（ａ）に示すように、矩形形状の壁パネル１１の表面に、あらかじめ防水シート１２と防水シート１２の上から胴縁１３と胴縁１３のい上から外装材６４とが取り付けられたものとして構成されている。
【００５８】
この外装材付き壁パネル５１は、矩形形状の壁パネル１１、下地としての防水シート１２及び胴縁１３並びに外装材６４を構成部材として有している点で、実施の形態１とほぼ同様であるが、壁パネル１１の側端部に対しての外装材６４の出入り寸法の点では、実施の形態１と著しく異なっている。
【００５９】
すなわち、外装材６４は、その側端部が壁パネル１１の側端部から例えば１１ｍｍ延出するようにして、壁パネル１１に取り付けられている（図２（ａ）参照）。
【００６０】
一方、胴縁付き壁パネル５２は、矩形形状の壁パネル１１の表面に、あらかじめ防水シート７２と防水シート７２の上から胴縁７３とが取り付けられたものとして構成されている。
【００６１】
この胴縁付き壁パネル５２は、矩形形状の壁パネル１１、下地としての防水シート７２及び胴縁７３を構成部材として有している点で、実施の形態１とほぼ同様であるが、外装材７４を有していない点と、壁パネル１１の側端部に対する防水シート７２及び胴縁７３の出入り寸法の点とでは、実施の形態１と著しく異なっている。
【００６２】
すなわち、防水シート７２は、その側端部が壁パネル１１の側端部から例えば４５ｍｍ延出するようにして、壁パネル１１に取り付けられている（図２（ａ）参照）。また、胴縁７３は、その端部が壁パネル１１の側端部から例えば１５ｍｍ引っ込むようにして、壁パネル１１に取り付けられている（図２（ａ）参照）。
【００６３】
（２）外装材付き壁パネル５１と胴縁付き壁パネル５２との接合部におけるにおける防水構造
外装材付き壁パネル５１と胴縁付き壁パネル５２との接合部における防水構造としては、図２に示すように、両防水シート１２，７２の裏面どうしが両面防水テープ２１により互いに接着され折り返されて折り返し部２２とされ、この折り返し部２２が外装材６４の側端部と壁パネル１１との間に挟み付けられているものとして構成されている。
【００６４】
具体的には、外装材付き壁パネル５１における外装材６４は、その側端部が壁パネル１１の側端部から例えば１１ｍｍ延出するようにして、壁パネル１１に取り付けられている。
【００６５】
また、外装材付き壁パネル５１における防水シート１２は、その側端部が壁パネル１１の側端部から例えば６０ｍｍ延出するようにして、壁パネル１１に取り付けられている。
一方、胴縁付き壁パネル５２における防水シート７２は、その側端部が壁パネル１１の側端部から例えば４５ｍｍ延出するようにして、壁パネル１１に取り付けられている。
【００６６】
ここで、外装材付き壁パネル５１の防水シート１２が外装材６４の側端部から延出する長さ寸法と胴縁付き壁パネル５２の防水シート７２が胴縁７３の端部から延出する長さ寸法とがほほ等しくなっている。
【００６７】
これにより、両防水シート１２，７２の側端部の裏面どうしを両面防水テープ２１にて接着するに際して外装材６４の側端部が邪魔となり、一方の防水シート１２，７２の側端部が他方の防水シート７２，１２の側端部に比べて過度に長くなったり短くなったりする事態が有効に回避されることとなり、その結果、あらかじめ工場製造段階において外装材６４を取り付けている外装材付き壁パネルとの接合部においてより適切かつ十分に対応できることとなっている（図２（ｂ）参照）。
【００６８】
一方、外装材６４の側端部には、外装材付き壁パネル５１及び胴縁付き壁パネル５２の接合が完了した後の段階で、胴縁付き壁パネル５２に貼設される外装材７４におけるさね７４ａと嵌り合うこととなるさね６４ａが取り付けられている。
【００６９】
これにより、外装材６４，７４どうしの取合部分におけるシール材による防水効果が確実かつ十分に担保されることとなり、その結果、外装材付き壁パネル５１と胴縁付き壁パネル５２との接合部において防水性能の向上効果がより確実かつ十分に得られることとなっている。
【００７０】
すなわち、このような壁パネルの接合部における防水構造においても、実施の形態１と同様、両防水シート１２，７２の側端部の裏面どうしを両面防水テープ２１にて接着し折り返した折り返し部２２が所定の隙間に挟み付けられることとなり、あらかじめ外装材６４を取り付けている外装材付き壁パネル５１とあらかじめ外装材７４を取り付けていない胴縁付き壁パネル５２との接合部においても、適切かつ十分な防水施工ができることとなっている。
【００７１】
【発明の効果】
本発明に係る壁パネルの接合部における防水構造によれば、外装材付き壁パネルとの接合部においても防水性能の向上効果が確実かつ十分に得られることとなる。
【図面の簡単な説明】
【図１】図１は本発明の実施の形態１に係る壁パネルの接合部における防水構造の全体構成を説明する断面図（図１（ａ）は工場製造段階、図１（ｂ）は現場施工段階、図１（ｃ）は防水完了段階）である。
【図２】図２は本発明の実施の形態２に係る壁パネルの接合部における防水構造の全体構成を説明する断面図（図２（ａ）は工場製造段階、図２（ｂ）は現場施工段階、図２（ｃ）は防水完了段階）である。
【符号の説明】
１  外装材付き壁パネル
１１  壁パネル
１１ａ  框材
１１ｂ  面材
１２  防水シート
１３  胴縁
１４  外装材
２１  両面防水テープ
２１ａ  離型紙
２２  折り返し部部
２３  ガスケット
３１  ボルト及びナット
５１  外装材付き壁パネル
５２  胴縁付き壁パネル
６４  外装材
６４ａ  さね
７２  防水シート
７３  胴縁
７４  外装材
７４ａ  さね
【図１】
2004162298.tif 000003
【図２】
2004162298.tif 000004